(57)【要約】【課題】ユーザーの利便性を向上することのできる操作パネル、操作パネルの制御方法、および操作パネルの制御プログラムを提供する。【解決手段】操作パネル１００は、ＬＣＤ画面１０１と、操作に関するＬＣＤ画面１０１へのタッチ入力を受け付けるタッチパネルセンサー部１０２と、ハードウェアキー１０４と、タッチパネルセンサー部１０２にて受け付けたタッチ入力の位置を検出するタッチパネル制御用マイコン１０３とを備えている。操作パネル制御部１５６は、タッチパネル制御用マイコン１０３がタッチ入力の位置を検出できない状態である暴走を検出した場合に、タッチパネルセンサー部１０２にて受け付けていた操作をハードウェアキー１０４に割り付ける。【選択図】図４
2013059986.tif 000002
【特許請求の範囲】
【請求項１】
表示部と、
操作に関する前記表示部へのタッチ入力を受け付けるタッチパネルと、
ハードウェアキーと、
前記タッチパネルにて受け付けたタッチ入力の位置を検出するタッチパネル制御手段と、
前記タッチパネル制御手段がタッチ入力の位置を検出できない状態である暴走を検出する暴走検出手段と、
前記暴走検出手段にて暴走を検出した場合に、前記タッチパネルにて受け付けていた操作を前記ハードウェアキーに割り付ける割付手段とを備えた、操作パネル。
【請求項２】
前記暴走検出手段にて暴走を検出した場合に、前記ハードウェアキーに割り付けられている操作を通知する表示を前記表示部に行う通知手段をさらに備えた、請求項１に記載の操作パネル。
【請求項３】
親展ファックスの受信ジョブを実行している場合、親展ファックスの受信ジョブで受信済みのデータが存在する場合、および親展ファックスの予約受信ジョブが存在する場合のうち少なくともいずれか１つの場合において、前記暴走検出手段にて暴走を検出したときは、前記割付手段は、受信ジョブに関するデータを出力する指示を行うキーまたは受信ジョブを破棄する指示を行うキーを前記ハードウェアキーに割り付ける、請求項１または２に記載の操作パネル。
【請求項４】
前記タッチパネルが次操作に関するタッチ入力を受け付けている場合において、前記暴走検出手段にて暴走を検出したときは、前記割付手段は、次操作を行うキーを前記ハードウェアキーに割り付ける、請求項１〜３のいずれかに記載の操作パネル。
【請求項５】
前記割付手段が操作を割り付けた場合に、光および音のうち少なくともいずれか一方により警告を行う第１の警告発生手段をさらに備えた、請求項１〜４のいずれかに記載の操作パネル。
【請求項６】
前記暴走検出手段にて暴走を検出した場合に、前記タッチパネル制御手段を初期化する初期化手段をさらに備え、
前記初期化手段による初期化が完了した後で、前記割付手段は操作を割り付けることを中止する、請求項１〜５のいずれかに記載の操作パネル。
【請求項７】
前記割付手段が操作を割り付けることを中止した場合に、光および音のうち少なくともいずれか一方により警告を行う第２の警告音発生手段をさらに備えた、請求項６に記載の操作パネル。
【請求項８】
表示部と、操作に関する前記表示部へのタッチ入力を受け付けるタッチパネルと、ハードウェアキーと、前記タッチパネルにて受け付けたタッチ入力の位置を検出するタッチパネル制御手段とを備えた操作パネルの制御方法であって、
前記タッチパネル制御手段がタッチ入力の位置を検出できない状態である暴走を検出する暴走検出ステップと、
前記暴走検出ステップにて暴走を検出した場合に、前記タッチパネルにて受け付けていた操作を、前記ハードウェアキーに割り付ける割付ステップとを備えた、操作パネルの制御方法。
【請求項９】
表示部と、操作に関する前記表示部へのタッチ入力を受け付けるタッチパネルと、ハードウェアキーと、前記タッチパネルにて受け付けたタッチ入力の位置を検出するタッチパネル制御手段とを備えた操作パネルの制御プログラムであって、
前記タッチパネル制御手段がタッチ入力の位置を検出できない状態である暴走を検出する暴走検出ステップと、
前記暴走検出ステップにて暴走を検出した場合に、前記タッチパネルにて受け付けていた操作を、前記ハードウェアキーに割り付ける割付ステップとをコンピュータに実行させる、操作パネルの制御プログラム。
【発明の詳細な説明】
【技術分野】
【０００１】
本発明は操作パネル、操作パネルの制御方法、および操作パネルの制御プログラムに関し、より特定的には、表示部と、操作に関する表示部へのタッチ入力を受け付けるタッチパネルと、ハードウェアキーとを備えた操作パネル、操作パネルの制御方法、および操作パネルの制御プログラムに関する。
【背景技術】
【０００２】
従来の一般的な複合機などの画像形成装置には、ユーザーインターフェースとして、標準出力手段としてのタッチパネルディスプレイと、標準入力手段としてのソフトウェアキーおよびハードウェアキーとを有する操作パネルが設けられている。操作パネルは、画面を表示するタッチパネルディスプレイと、タッチパネルディスプレイの前面などに設けられ、ユーザーからのタッチ入力を受け付けるタッチパネル（タッチパッド）と、タッチパネルにて受け付けたタッチ入力の位置を検出するタッチパネル制御用マイコンとを有している。
【０００３】
ソフトウェアキーとは、タッチパネルディスプレイ上に表示されるキー群である。ユーザーは、タッチパネルディスプレイの所定の領域に触れることによりソフトウェアキーの操作を行う。タッチパネルディスプレイ上には、所定の機能が割り付けられたソフトウェアキーが様々な形状で表示され、不要になれば画面上から消去（削除）される。
【０００４】
ハードウェアキーとは、物理的な実体性を備えたボタン状のキー群である。ユーザーは、ハードウェアキーを押下することによりハードウェアキーの操作を行う。ハードウェアキーは、一般的に、視認性および操作性の点でソフトウェアキーよりも優れている。一方でハードウェアキーは、ソフトウェアキーのように容易に形状を変更したり、削除したりすることは不可能である。しかし、複合機の状態に応じて可変的に、ハードウェアキーに様々な機能を割り付けることは可能である。たとえば複合機の操作パネルには、通常、ハードウェアキーとしてスタートキーが設けられている。スタートキーには、複合機の現在のモードに応じて、スキャンの実行、複写の実行、またはファクシミリ送信の実行などの機能が動的に割り付けられる。スタートキーは、複合機におけるキー群の中でも特に使用頻度が高いため、通常、視認性および操作性に格別に優れた大型のキーとして構成されている。複合機のハードウェアキーには、スタートキーの他にもテンキーやストップキーなどが設けられている。
【０００５】
ユーザーによる操作パネルの操作時に、静電気放電が発生し、タッチパネル制御用マイコンが暴走（誤作動）することがある。これは、ユーザーの指などに帯電した電荷がタッチパネル制御用マイコンに対して直接放電して、タッチパネル制御用マイコンの基板内に入り込むことや、静電気放電により発生する電磁波が間接的にタッチパネル制御用マイコンに影響を及ぼすことに起因する。静電気放電の影響を排除するために、従来、タッチパネルやハードウェアキーの近傍に、接地電位（筐体ＧＮＤ）に接続された放電シートを接地することで、電気信号ラインへの直接的な放電を回避する対策が採られている。しかし、この対策では、電磁波による間接的な影響を回避することができない。
【０００６】
また、近年普及が著しい静電型タッチパネルなどでは、タッチパネル制御用マイコンが、タッチパネルの静電容量の変化に基づいてタッチ入力された位置を検出している。静電型タッチパネルでは、タッチパネル以外の部分の静電容量の変化に起因するノイズを減少させ、良好な検出感度を得るために、タッチパネル（タッチパネルセンサー部）と、タッチパネル制御用マイコンとの距離を極力短くする必要がある。このため、静電気放電が発生する近傍にタッチパネル制御用マイコンを配置する必要があり、タッチパネル制御用マイコンが静電気放電に対して極めて敏感な実装状態となる傾向がある。
【０００７】
画像形成装置にトラブルが生じた時の操作パネルの表示動作の制御に関する技術が、たとえば下記特許文献１〜３に開示されている。
【０００８】
下記特許文献１は、タッチパネルと複数のハードキーとを備えた画像形成装置において、複数のハードキーのいずれかの故障を検知した場合に、故障を検知したハードキーが使用できない旨のエラーをハードキーの機能毎に表示する技術を開示している。
【０００９】
下記特許文献２には、各データ処理装置から受信するジョブの解析結果に基づき、レンダラがビットマップイメージ展開中に、エラー検知機構が軽度のエラーを検知した場合に、そのジョブ処理をそのまま継続させつつ、次ジョブを処理可能状態に遷移させておく印刷制御装置が開示されている。この印刷制御装置は、検知したエラーをパネルディスプレイに表示し、パネルキーからの指示に従い、エラーとなっているジョブに対する印刷処理の続行または取消しを制御する。
【００１０】
さらに下記特許文献３には、ユーザーに対し情報を提示するユーザーインターフェース表示部と、ユーザーからの入力を受け付けるハードウェアキーを備えたユーザーインターフェース入力部と、ウェブサーバから取得したページデーターに基づいて表示画面をユーザーインターフェース表示部に表示させるウェブブラウザ部と、ハードウェアキーに対して割り当てる機能をページデーターに基づいて決定するハードウェアキー機能割り当て部と、ハードウェアキー機能割り当て部によるハードウェアキーに対する機能の割り当ての決定に従ってハードウェアキーを制御するハードウェアキー制御部とを有する画像処理装置が開示されている。
【先行技術文献】
【特許文献】
【００１１】
【特許文献１】特開２０１０−１１１０４４号公報
【特許文献２】特開２００２―２４８８４０号公報
【特許文献３】特開２０１０―１４６０７８号公報
【発明の概要】
【発明が解決しようとする課題】
【００１２】
タッチパネル制御用マイコンが暴走した場合には、ユーザーがタッチパネルにタッチ入力を行っても、パネル制御用マイコンは入力された位置を検出できない状態となる。このため、従来、操作パネルに入力を行っていたユーザー（オペレーター）は、操作パネルへの入力を継続することができなかった。したがって、従来の操作パネルには、ユーザーの利便性が悪いという問題があった。
【００１３】
特許文献１および２の技術では、使用不可能なトラブル状態をユーザーに対して表示したり、タッチパネルからの操作でジョブに対する印刷処理の続行または取り消しを制御したりしているが、タッチパネル制御用マイコンが暴走した場合についての配慮はされていなかった。したがって、これらの技術においても、タッチパネル制御用マイコンが暴走した場合には、操作パネルへの入力を継続できない状態（操作不能状態）となっていた。
【００１４】
また特許文献３の技術では、ウェブブラウザ表示時に、ページデーターに基づくブラウザ画面の機能キーをハードウェアキーに割り当てることはできるが、タッチパネル制御用マイコンが暴走した場合についての配慮がされていなかった。たとえば、親展ファックス受信時や受信済みのデータが存在する場合において、タッチパネル制御用マイコンが暴走したときは、ユーザーは、タッチパネル内のソフトウェアキーで次操作を行うことができず、受信した親展ファックスの文書を開くことや、受信済みのデータのプリント出力を行うことができなかった。また、印刷出力をする予約ジョブが存在する場合において、タッチパネル制御用のマイコンが暴走したときは、ユーザーは、不要な印刷出力をしないようジョブを削除したくても、ジョブを削除することができず、無駄な印刷出力が実行されていた。
【００１５】
また、ソフトウェアキーに対応するキーを常にハードウェアキーに常に割り当てておく方法も考えられるが、この方法では、ソフトウェアキーで受け付ける全ての操作入力をハードウェアキーに割り当てる必要がある。その結果、膨大な数のハードウェアキーを操作パネルに設ける必要があり、現実的ではない。
【００１６】
本発明は、上記課題を解決するためのものであり、その目的は、ユーザーの利便性を向上することのできる操作パネル、操作パネルの制御方法、および操作パネルの制御プログラムを提供することである。
【課題を解決するための手段】
【００１７】
本発明の一の局面に従う操作パネルは、表示部と、操作に関する表示部へのタッチ入力を受け付けるタッチパネルと、ハードウェアキーと、タッチパネルにて受け付けたタッチ入力の位置を検出するタッチパネル制御手段と、タッチパネル制御手段がタッチ入力の位置を検出できない状態である暴走を検出する暴走検出手段と、暴走検出手段にて暴走を検出した場合に、タッチパネルにて受け付けていた操作をハードウェアキーに割り付ける割付手段とを備える。
【００１８】
上記操作パネルにおいて好ましくは、暴走検出手段にて暴走を検出した場合に、ハードウェアキーに割り付けられている操作を通知する表示を表示部に行う通知手段をさらに備える。
【００１９】
上記操作パネルにおいて好ましくは、親展ファックスの受信ジョブを実行している場合、親展ファックスの受信ジョブで受信済みのデータが存在する場合、および親展ファックスの予約受信ジョブが存在する場合のうち少なくともいずれか１つの場合において、暴走検出手段にて暴走を検出したときは、割付手段は、受信ジョブに関するデータを出力する指示を行うキーまたは受信ジョブを破棄する指示を行うキーをハードウェアキーに割り付ける。
【００２０】
上記操作パネルにおいて好ましくは、タッチパネルが次操作に関するタッチ入力を受け付けている場合において、暴走検出手段にて暴走を検出したときは、割付手段は、次操作を行うキーをハードウェアキーに割り付ける。
【００２１】
上記操作パネルにおいて好ましくは、割付手段が操作を割り付けた場合に、光および音のうち少なくともいずれか一方により警告を行う第１の警告発生手段をさらに備える。
【００２２】
上記操作パネルにおいて好ましくは、暴走検出手段にて暴走を検出した場合に、タッチパネル制御手段を初期化する初期化手段をさらに備え、初期化手段による初期化が完了した後で、割付手段は操作を割り付けることを中止する。
【００２３】
上記操作パネルにおいて好ましくは、割付手段が操作を割り付けることを中止した場合に、光および音のうち少なくともいずれか一方により警告を行う第２の警告音発生手段をさらに備える。
【００２４】
本発明の他の局面に従う操作パネルの制御方法は、表示部と、操作に関する表示部へのタッチ入力を受け付けるタッチパネルと、ハードウェアキーと、タッチパネルにて受け付けたタッチ入力の位置を検出するタッチパネル制御手段とを備えた操作パネルの制御方法であって、タッチパネル制御手段がタッチ入力の位置を検出できない状態である暴走を検出する暴走検出ステップと、暴走検出ステップにて暴走を検出した場合に、タッチパネルにて受け付けていた操作を、ハードウェアキーに割り付ける割付ステップとを備える。
【００２５】
本発明のさらに他の局面に従う操作パネルの制御プログラムは、表示部と、操作に関する表示部へのタッチ入力を受け付けるタッチパネルと、ハードウェアキーと、タッチパネルにて受け付けたタッチ入力の位置を検出するタッチパネル制御手段とを備えた操作パネルの制御プログラムであって、タッチパネル制御手段がタッチ入力の位置を検出できない状態である暴走を検出する暴走検出ステップと、暴走検出ステップにて暴走を検出した場合に、タッチパネルにて受け付けていた操作を、ハードウェアキーに割り付ける割付ステップとをコンピュータに実行させる。
【発明の効果】
【００２６】
本発明によれば、ユーザーの利便性を向上することのできる操作パネル、操作パネルの制御方法、および操作パネルの制御プログラムを提供することができる。
【図面の簡単な説明】
【００２７】
【図１】本発明の第１の実施の形態における画像形成装置としてのタンデム型のデジタルカラー複合機（ＭＦＰ）の構成を模式的に示す断面図である。
【図２】デジタルカラー複合機のエンジン部分を詳細説明するための断面図である。
【図３】本発明の第１の実施の形態におけるデジタルカラー複合機の制御構成を示すブロック図である。
【図４】操作パネル１００の構成を示すブロック図である。
【図５】デジタルカラー複合機に登録済みのジョブリスト（実行中リスト）がＬＣＤ画面１０１に表示された状態の操作パネル１００の構成を示す平面図である。
【図６】デジタルカラー複合機に登録済みのジョブリストがＬＣＤ画面１０１に表示された状態で、タッチパネル制御用マイコン１０３が暴走した場合の操作パネル１００の画面表示を模式的に示す図である。
【図７】親展ファックスの受信リストがＬＣＤ画面１０１に表示された状態を示す図である。
【図８】親展ファックスの受信リストがＬＣＤ画面１０１に表示された状態で、タッチパネル制御用マイコン１０３が暴走した場合の操作パネル１００の画面表示を模式的に示す図である。
【図９】本発明の第１の実施の形態における操作パネル制御部１５６が行う制御についてのフローチャートである。
【図１０】コピージョブの実行中の画面がＬＣＤ画面１０１に表示された状態を示す図である。
【図１１】コピージョブの実行中の画面がＬＣＤ画面１０１に表示された状態で、タッチパネル制御用マイコン１０３が暴走した場合の操作パネル１００の画面表示を模式的に示す図である。
【図１２】本発明の第２の実施の形態における操作パネル制御部１５６が行う制御についてのフローチャートである。
【発明を実施するための形態】
【００２８】
以下、本発明の実施の形態について、図面に基づいて説明する。
【００２９】
以下の実施の形態においては、操作パネルが画像形成装置の操作を行うものである場合について説明する。画像形成装置は、たとえば電子写真方式や静電記録方式などによって画像形成を行うものであり、スキャナ機能、ファクシミリ機能、複写機能、プリンタとしての機能、データ通信機能、およびサーバ機能を備えたＭＦＰ（Ｍｕｌｔｉ  Ｆｕｎｃｔｉｏｎ  Ｐｅｒｉｐｈｅｒａｌ）や、ファクシミリ装置、複写機、プリンタなどであってもよい。画像形成装置はインクジェット方式により画像形成を行うものであってもよい。操作パネルは、画像形成装置の他、たとえば家電製品や音響映像機器など、どのような装置の操作を行うものであってもよい。
【００３０】
以下の実施の形態の画像形成装置は、ＬＣＤ（Ｌｉｑｕｉｄ  Ｃｒｙｓｔａｌ  Ｄｉｓｐｌａｙ）画面などの操作情報の表示画面（表示部）と、その前面に配置されたタッチパネルと、ハードウェアキー（外キー）などで構成される操作パネルを備えている。操作パネルは、機器のオペレーション操作を行うためのものである。操作パネルは、操作パネル制御部がタッチパネル制御用マイコン（タッチパネル用ＣＰＵ）の暴走を検出した場合において、特に緊急操作が求められる画面表示であるときは、本来はタッチパネル内のソフトウェアキーで操作する次操作のための実行操作キーを、予め定められたＬＣＤ画面近傍のハードウェアキーに自動で割り付ける。それとともに操作パネルは、ＬＣＤ画面にてハードウェアキーで操作できることを示すガイダンス表示を行い、警告音でオペレータに通知を行う。これにより、緊急操作を必要とするユーザーが迷うことなくハードウェアキーに割りつけられた実行キーで画像形成装置を操作することができる。
【００３１】
［第１の実施の形態］
始めに、本実施の形態における画像形成装置の構成について説明する。
【００３２】
図１は、本発明の第１の実施の形態における画像形成装置としてのタンデム型のデジタルカラー複合機（ＭＦＰ）の構成を模式的に示す断面図である。図２は、デジタルカラー複合機のエンジン部分を詳細説明するための断面図である。
【００３３】
図１および図２を参照して、本発明の実施の形態のデジタルカラー複合機は、いわゆるデジタル複合機と呼ばれる装置である。デジタルカラー複合機は、セットされた原稿の画像を読み取ってＨＤＤ（Ｈａｒｄ  Ｄｉｓｋ  Ｄｒｉｖｅ）などに蓄積するスキャンジョブ、スキャンジョブによって蓄積した画像を用紙などに印刷するコピージョブ、ＰＣ（Ｐｅｒｓｏｎａｌ  Ｃｏｍｐｕｔｅｒ）などの外部端末から印刷指示を受けた指示に基づいて、用紙に印刷するプリントジョブ、ファクシミリ装置などからファクシミリデータを受信してＨＤＤなどに蓄積するファクシミリジョブ、およびＨＤＤなどに蓄積している画像を用紙などに印刷するジョブなどを実行する機能を有する。
【００３４】
デジタルカラー複合機は、デジタルカラー複合機の本体１と、本体１の上部に設けられた自動原稿搬送装置（ＡＤＦ）３と、本体１と自動原稿搬送装置３との間に設けられた画像読取装置４とを備えている。自動原稿搬送装置３は、原稿２を一枚ずつ分離した状態で自動的に搬送する。画像読取装置４は、自動原稿搬送装置３によって搬送される原稿２の画像を読み取る。
【００３５】
画像読取装置４は、原稿２が載置されるプラテンガラス５と、原稿２を照明する光源６と、原稿２からの反射光像を反射するフルレートミラー７ならびにハーフレートミラー８および９と、原稿２からの反射光像を結像する結像レンズ１０と、ＣＣＤ（Ｃｈａｒｇｅ  Ｃｏｕｐｌｅｄ  Ｄｅｖｉｃｅ）などからなる画像読取素子１１とを含んでいる。
【００３６】
プラテンガラス５上に原稿２が載置されると、光源６は原稿２を照明する。原稿２からの反射光像（色材反射光像）は、フルレートミラー７、ハーフレートミラー８および９、ならびに結像レンズ１０からなる縮小光学系を介して、画像読取素子１１上に走査露光される。画像読取素子１１は、原稿２の反射光像を所定のドット密度（たとえば、１６ドット／ｍｍ）で読み取る。
【００３７】
画像読取装置４は、ファックス送信原稿の読み取りや、スキャンしたデータの電子メールでのダイレクトな送信やダイレクトなボックス保存（Ｓｃａｎ  ｔｏ  Ｅ−Ｍａｉｌ／Ｂｏｘ）などの、複合機としての原稿読み取り機能を備えている。
【００３８】
画像読取装置４によって読み取られた原稿２の色材反射光像は、たとえば、それぞれ８ビットのサイズを持つ赤（Ｒ）、緑（Ｇ）、および青（Ｂ）の３色の原稿反射率データとして、本体１の画像処理部１２に送られる。
【００３９】
本体１は、画像処理部１２と、画像形成ユニット１３Ｙ、１３Ｍ、１３Ｃ、および１３Ｋと、中間転写ベルト２５と、二次転写ロール２９と、定着器３１と、搬送部５０とを含んでいる。
【００４０】
画像処理部１２では、原稿２の反射率データに対して、シェーディング補正、位置ズレ補正、明度／色空間変換、ガンマ補正、枠消し、または色／移動編集などの所定の画像処理が施される。また、画像処理部１２は、外部端末などから送られてくる画像データに対しても、所定の画像処理を行なう。
【００４１】
画像処理部１２で所定の画像処理が施された画像データは、画像処理部１２によって、たとえば、それぞれ８ビットのサイズを持つＹＭＣＫの原稿再現色材階調データに変換され、イエロー（Ｙ）、マゼンタ（Ｍ）、シアン（Ｃ）、黒（Ｋ）の各色の画像形成ユニット１３Ｙ、１３Ｍ、１３Ｃ、および１３Ｋのプリントヘッド部１４に送られる。
【００４２】
画像形成ユニット１３Ｙ、１３Ｍ、１３Ｃ、１３Ｋの各々は、水平方向に一定の間隔をおいて並列的に配置されている。これらの４つの画像形成ユニット１３Ｙ、１３Ｍ、１３Ｃ、および１３Ｋの各々は同様の構成を有している。画像形成ユニット１３Ｙ、１３Ｍ、１３Ｃ、および１３Ｋの各々は、大まかには、所定の速度で回転駆動される像担持体としての感光体ドラム１５と、感光体ドラム１５の表面を一様に帯電する一次帯電用の帯電ロール１６と、感光体ドラム１５の表面に所定の色に対応した画像を露光して静電潜像を形成する画像露光装置としてのプリントヘッド部１４と、感光体ドラム１５上に形成された静電潜像を所定の色のトナーで現像する現像器１７と、感光体ドラム１５の表面を清掃するクリーニング装置１８とを含んでいる。
【００４３】
プリントヘッド部１４は、４つの画像形成ユニット１３Ｙ、１３Ｍ、１３Ｃ、および１３Ｋに共通に構成されている。プリントヘッド部１４は、図示しない４つの半導体レーザーを各色の原稿再現色材階調データに応じて変調して、これらの半導体レーザーからレーザービームＬＢ−Ｙ、ＬＢ−Ｍ、ＬＢ−Ｃ、ＬＢ−Ｋを階調データに応じて出射するように構成されている。なお、プリントヘッド部１４は、複数の画像形成ユニット毎に個別に構成されていてもよい。プリントヘッド部１４は、回転多面鏡１９と、反射ミラー２０と、ウインドウ２１とを含んでいる。
【００４４】
プリントヘッド部１４の４つの半導体レーザーから出射された各レーザービームＬＢ−Ｙ、ＬＢ−Ｍ、ＬＢ−Ｃ、およびＬＢ−Ｋは、１つの回転多面鏡１９に照射され、回転多面鏡１９によって偏向走査される。その際、レーザービームＬＢ−ＹおよびＬＢ−Ｍは、回転多面鏡１９の一方の側面に照射され、レーザービームＬＢ−ＣおよびレーザービームＬＢ−Ｋは、回転多面鏡１９の反対側の側面に照射される。その結果、レーザービームＬＢ−ＹおよびＬＢ−Ｍと、レーザービームＬＢ−ＣおよびＬＢ−Ｋとでは、回転多面鏡１９によって偏向走査される方向が互いに逆方向となる。回転多面鏡１９によって偏向走査されたレーザービームＬＢ−Ｙ、ＬＢ−Ｍ、ＬＢ−Ｃ、およびＬＢ−Ｋは、図示しないｆ−θレンズを介して、複数枚の反射ミラー２０によって反射され、各画像形成ユニットの感光体ドラム１５上に、ウインドウ２１を通して斜め下方から走査露光される。
【００４５】
レーザービームＬＢ−Ｙ、ＬＢ−Ｍ、ＬＢ−Ｃ、およびＬＢ−Ｋによって、感光体ドラム１５の表面には静電潜像が形成される。レーザービームＬＢ−Ｙ、ＬＢ−Ｍと、レーザービームＬＢ−Ｃ、ＬＢ−Ｋとでは、感光体ドラム１５上に走査露光されるレーザービームの走査方向が、互いに反対方向となる。感光体ドラム１５上に形成された静電潜像は、現像器１７によって、ＹＭＣＫの各色のトナーにより現像される。感光体ドラム１５上に形成されたトナー像は、感光体ドラム１５の上方に配置された中間転写ベルト２５上に、一次転写ロール２６Ｙ、２６Ｍ、２６Ｃ、および２６Ｋによって転写される。これにより、ＹＭＣＫ各色のトナー像が中間転写ベルト２５上で重ね合わせられる。一次転写後、感光体ドラム１５の表面に残存するトナーはクリーニング装置１８により除去される。
【００４６】
中間転写ベルト２５は、ドライブロール２７と、バックアップロール２８と、テンションロール２４との間に一定のテンションで掛け回されている。ドライブロール２７は、図示しない定速性に優れた専用の駆動モーターによって回転駆動され、所定の方向に所定の速度で循環駆動される。中間転写ベルト２５としては、たとえば、可撓性を有するポリイミドなどの合成樹脂フィルムを帯状に形成し、この帯状に形成された合成樹脂フィルムの両端を溶着などの手段によって接続することにより、無端ベルト状に形成したものが用いられる。
【００４７】
搬送部５０は、給紙ロール３５と、ロール対３６と、レジストロール３８と、排出ロール３２と、ロール対３９とを含んでいる。
【００４８】
転写用紙３０は、給紙カセット３４から所定のサイズのものが、給紙ロール３５および用紙分離搬送用のロール対３６により給紙される。給紙された転写用紙３０は、用紙搬送路３７を介して、レジストロール３８まで一旦搬送され、停止される。そして転写用紙３０は、所定のタイミングで回転するレジストロール３８によって中間転写ベルト２５の二次転写位置へ送出される。
【００４９】
二次転写ロール２９は、バックアップロール２８の側方に位置している。中間転写ベルト２５上のトナー像は、バックアップロール２８に圧接する二次転写ロール２９によって、圧接力および静電気力を用いて、転写材としての転写用紙３０上に二次転写される。トナー像が転写された転写用紙３０は、上方に位置する定着器３１へと搬送される。
【００５０】
トナー像が転写された転写用紙３０は、定着器３１によって熱および圧力を用いてトナー像の定着処理を受けた後、排出ロール３２によって、本体１の上部に設けられた排出トレイ３３上に排出される。
【００５１】
なお、デジタルカラー複合機においてフルカラーなどの両面コピーをとる場合には、表面に画像が定着された転写用紙３０を、排出ロール３２によって排出トレイ３３上にそのまま排出せずに、図示しない切替ゲートによって搬送方向を切り替え、用紙搬送用のロール対３９を介して両面用搬送ユニット４０へと搬送する。両面用搬送ユニット４０は、用紙搬送路４１に沿って設けられた図示しない搬送用のロール対により、転写用紙３０の表裏を反転し、転写用紙３０を再度レジストロール３８へと搬送する。その後、転写用紙３０の裏面には画像が転写および定着され、排出トレイ３３上に排出される。
【００５２】
なお、中間転写ベルト２５の上部には、ＹＭＣＫ各色の現像器１７にトナーを供給するトナーカートリッジ４４Ｙ、４４Ｍ、４４Ｃ、および４４Ｋが設けられている。
【００５３】
図３は、本発明の第１の実施の形態におけるデジタルカラー複合機の制御構成を示すブロック図である。
【００５４】
図３を参照して、デジタルカラー複合機は、操作パネル１００と、入力装置２００と、認証装置２１０と、画像出力装置２２０とを備えている。操作パネル１００は、たとえばＬＣＤなどの各種ディスプレイ装置と、タッチパネルと、ハードウェアキーとを主に備えている。操作パネル１００の詳細な構成は後述する。入力装置２００は、図示しないキーボードやマウスなどから構成されている。認証装置２１０は、接触型または非接触型のＩＣ（Ｉｎｔｅｇｒａｔｅｄ  Ｃｉｒｃｕｉｔ）カード認証装置や、指静脈認証装置などで構成されている。画像出力装置２２０は、プリンタ出力機能を有する。
【００５５】
デジタルカラー複合機は、さらに、ＣＰＵ（Ｃｅｎｔｒａｌ  Ｐｒｏｃｅｓｓｉｎｇ  Ｕｎｉｔ）１５１と、ＲＯＭ（Ｒｅａｄ  Ｏｎｌｙ  Ｍｅｍｏｒｙ）１５２と、ＲＡＭ（Ｒａｎｄｏｍ  Ａｃｃｅｓｓ  Ｍｅｍｏｒｙ）１５３と、ＨＤＤ１５４と、通信制御部１５５と、操作パネル制御部１５６と、入力装置制御部１５７と、認証装置制御部１５８と、画像出力装置制御部１５９と、認証制御部１６０とを備えている。ＣＰＵ１５１のバスには、ＲＯＭ１５２、ＲＡＭ１５３、ＨＤＤ１５４、通信制御部１５５、操作パネル制御部１５６、入力装置制御部１５７、認証装置制御部１５８、画像出力装置制御部１５９、および認証制御部１６０の各々が接続されている。
【００５６】
ＣＰＵ１５１は、デジタルカラー複合機の全体の動作を統括制御するものである。ＲＯＭ１５２はＣＰＵ１５１の動作プログラムが格納されたメモリである。ＲＡＭ１５３は、ＣＰＵ１５１の動作する際の作業領域を提供するメモリである。ＨＤＤ１５４は、コピー画像のデータやＰＣなどのプリント指示端末（外部端末ＰＣ１〜ＰＣ３）から送信されてきた画像のデータを一時格納したり、スキャンした画像のデータなどをボックスに保存したりする。通信制御部１５５は、ネットワーク３００を通じて互いに接続された外部端末ＰＣ１〜ＰＣ３の各々とデジタルカラー複合機との通信を制御する。操作パネル制御部１５６、入力装置制御部１５７、認証装置制御部１５８、および画像出力装置制御部１５９の各々は、操作パネル１００、入力装置２００、認証装置２１０、および画像出力装置２２０の各々を制御する。認証制御部１６０は、デジタルカラー複合機の全体のセキュリティ認証の制御を行う。
【００５７】
ネットワーク３００は、有線または無線のＬＡＮ（Ｌｏｃａｌ  Ａｒｅａ  Ｎｅｔｗｏｒｋ）である。ネットワーク３００は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のプロトコルを用いて接続される。ネットワーク３００に接続された機器は、お互いに各種データのやり取りが可能となっている。なお、ネットワーク３００に代えて、インターネット・専用線などの広域ネットワークを用いて各機器を接続してもよい。
【００５８】
図４は、操作パネル１００の構成を示すブロック図である。
【００５９】
図４を参照して、操作パネル１００は、ＬＣＤ画面（液晶ディスプレイ装置）１０１（表示部の一例）と、タッチパネルＴＰと、ハードウェアキー１０４と、警告ＬＥＤまたはブザー１０５と、タッチパネルＩＦ（インターフェース）１０６とを含んでいる。操作パネル１００はさらに図示しない表示ＬＥＤなどをさらに含んでいてもよい。ＬＣＤ画面１０１と、タッチパネルＴＰと、ハードウェアキー１０４と、警告ＬＥＤまたはブザー１０５との各々は、それぞれ操作パネル制御部１５６と接続されている。
【００６０】
操作パネル制御部１５６は操作パネル１００に内蔵されていてもよいし、操作パネル１００の外部に設けられていてもよい。ＣＰＵ１５１が操作パネル制御部１５６としての機能を果たしてもよい。
【００６１】
タッチパネルＴＰは、タッチパネルセンサー部１０２（タッチパネルの一例）と、タッチパネル制御用マイコン１０３（タッチパネル制御手段の一例）とにより構成されている。タッチパネル制御用マイコン１０３は、たとえばＦＰＣ（Ｆｌｅｘｉｂｌｅ  Ｐｒｉｎｔｅｄ  Ｃｉｒｃｕｉｔｓ）に搭載されている。タッチパネルＴＰは、タッチパネルセンサー部１０２と、タッチパネル制御用マイコン１０３が搭載されたＦＰＣとが一体化したモジュールで構成されていることが好ましい。タッチパネルＴＰがモジュールで構成されている場合には、タッチパネル制御用マイコン１０３がユーザーの操作領域に極めて近くなる。このため、ユーザーによるタッチパネル操作時に発生する静電気放電の影響で、タッチパネル制御用マイコン１０３が暴走する可能性が高くなる。タッチパネル制御用マイコン１０３の暴走とは、タッチパネル制御用マイコン１０３がタッチ入力の位置を検出できない状態を意味している。
【００６２】
ＬＣＤ画面１０１は、デジタルカラー複合機の操作や各種情報に関する表示を行う。
【００６３】
タッチパネルセンサー部１０２は、たとえばＬＣＤ画面１０１の前面に配置されている。タッチパネルセンサー部１０２は、デジタルカラー複合機の操作に関するＬＣＤ画面１０１へのタッチ入力（機器の操作入力）を受け付ける。
【００６４】
タッチパネル制御用マイコン（タッチパネル制御ＣＰＵ）１０３は、タッチパネルセンサー部１０２の近傍に配置されており、タッチパネルセンサー部１０２にて受け付けたタッチ入力の位置検出（座標検出制御）を行う。タッチパネル制御用マイコン１０３は、静電容量方式によりタッチ入力の位置を感知することが好ましいが、抵抗膜方式、表面弾性波方式、赤外線方式、または電磁誘導方式などの他の方式により位置検出を行うものであってもよい。
【００６５】
ハードウェアキー１０４は、タッチパネルＴＰの周辺に配置されており、デジタルカラー複合機の操作に関する入力を受け付ける。
【００６６】
警告ＬＥＤまたはブザー１０５は、所定の場合に、ＬＥＤの警告表示または警告音によりユーザーに通知する。警告ＬＥＤまたはブザー１０５は、光および音のうち少なくともいずれか一方により警告を行うものであればよい。
【００６７】
操作パネル制御部１５６は、ＬＣＤ画面１０１の駆動制御、タッチパネルＴＰの制御、ハードウェアキー１０４の制御（機能の割り付け）、タッチパネル制御用マイコン１０３の暴走検出、および警告ＬＥＤまたはブザー１０５による表示または警告音の制御などを行う。
【００６８】
具体的には、操作パネル制御部１５６は、矢印Ａ１で示すようにＬＣＤ制御データをタッチパネルＴＰへ送信することにより、ＬＣＤ画面１０１の表示状態を制御する。タッチパネル制御用マイコン１０３のＦＷ（ファームウエア）は、タッチパネル制御用マイコン１０３の動作状態を示すマイコン出力信号を、矢印Ａ２で示すようにタッチパネルＩＦ１０６に出力する。タッチパネルＩＦ１０６はこのマイコン出力信号を監視し、タッチパネル制御用マイコン１０３が暴走状態か否かを識別する。タッチパネル制御用マイコン１０３が暴走状態にあるとタッチパネルＩＦ１０６が識別した場合、タッチパネルＩＦ１０６は矢印Ａ３で示すように、タッチパネル制御用マイコン１０３の暴走を操作パネル制御部１５６へ伝える。タッチパネル制御用マイコン１０３の暴走を検知した場合、操作パネル制御部１５６は、矢印Ａ４で示すように、タッチパネル制御用マイコンへ送信するハードウェアリセット信号をアクティブにして、タッチパネル制御用マイコン１０３のリセット処理および初期化処理を実行する。これにより、タッチパネル制御用マイコン１０３は、暴走状態から自動的に復帰する。操作パネル制御部１５６は、所定の場合に、矢印Ａ５で示すように、警告ＬＥＤまたはブザー１０５によりＬＥＤの警告表示または警告音を発生させる。操作パネル制御部１５６は、矢印Ａ６で示すように、ハードウェアキー１０４が受け付けた入力に関する情報を受信する。
【００６９】
なお、タッチパネル制御用マイコン１０３のリセット処理とは、タッチパネル制御用マイコン１０３を始動の状態に戻す処理を意味している。タッチパネル制御用マイコン１０３の初期化処理とは、タッチパネルセンサー部１０２の初期調整を行う処理（キャリブレーション）を意味している。
【００７０】
続いて、本実施の形態における操作パネル１００の動作について説明する。
【００７１】
図５は、デジタルカラー複合機に登録済みのジョブリストがＬＣＤ画面１０１に表示された状態の操作パネル１００の構成を示す平面図である。
【００７２】
図５を参照して、操作パネル１００は、ＬＣＤ画面１０１と、ボックスキーであるキー１８１と、ファックスキーであるキー１８２と、コピーキーであるキー１８３と、スタートキーであるキー１８４と、ストップキーであるキー１８５と、テンキーであるキー１８６などを含んでいる。
【００７３】
キー１８１は、スキャナで読み取ったファイルや外部端末から送信されてきたファイルなどをＨＤＤ１５４のボックスに保存するジョブに関する画面へ移行する際に押下されるキーである。キー１８２は、デジタルカラー複合機から外部端末へファックス送信を行うジョブに関する画面へ移行する際に押下されるキーである。キー１８３は、コピージョブに関する画面へ移行する際に押下されるキーである。キー１８４は、各種ジョブを実行する際に押下されるキーである。キー１８５は、実行しているジョブを停止する際に押下されるキーである。キー１８６は、数字の入力を受け付けるキーである。キー１８１〜１８６は、ハードウェアキー１０４の一例である。
【００７４】
図５では、デジタルカラー複合機に登録済みのジョブリスト（実行中リスト）がＬＣＤ画面１０１に表示されている。以下、図５および図７の画面を緊急操作画面と呼ぶことがある。図５の画面は、たとえば待機時のＬＣＤ画面１０１に表示される所定のソフトウェアキーが押下された場合に表示される。
【００７５】
ジョブリストには、各ジョブの情報を示す「番号」、「登録元」、「状態」、および「文書名」の各欄が設けられている。これら以外のジョブの情報が示されていてもよい。「番号」の欄には、登録順に付された番号が表示されている。「登録元」の欄には、そのジョブを登録したユーザーの識別情報（たとえばＩＤ（Ｉｄｅｎｔｉｆｉｃａｔｉｏｎ）が表示されている。「状態」の欄には、そのジョブの実行状態（実行中か待機中か）が表示されている。「文書名」の欄は、ジョブに使用される文書またはデータの名称が表示されている。
【００７６】
ジョブリストに登録された４つのジョブのうち、１２３番のジョブは、現在実行中（印刷中）であり、実行が終了すると、ジョブリストから消去される。他の３つのジョブは待機中であり、デジタルカラー複合機に蓄積された状態である。ＬＣＤ画面１０１には、ジョブリストの他に、「削除」、「優先出力」、および「蓄積解除」の各操作を行うキー（アイコン）３０１〜３０３が表示されている。
【００７７】
たとえば、１２５番のジョブが表示されたキーＩＴ１が押下されると、キーＩＴ１の色が変わり、１２５番のジョブが選択された状態となる。１２５番のジョブが選択された状態で「削除」キー３０１が押下されると、１２５番のジョブがジョブリストから消去される。また、「優先出力」キー３０２が押下されると、１２５番のジョブが他の実行中のジョブよりも優先して実行される。さらに、「蓄積解除」キー３０３が押下されると、１２５番のジョブが実行可能となった場合（他のジョブの実行が終了した後）に、１２５番のジョブが実行される。キーＩＴ１および３０１〜３０３は、いずれもソフトウェアキーである。すなわち、これらのキーは、ＬＣＤ画面１０１に表示されたキーであり、ＬＣＤ画面１０１へのタッチ入力をタッチパネルＴＰで検出することにより、これらのキーの押下を操作パネル１００は検出する。
【００７８】
ＬＣＤ画面１０１にジョブリストを表示している状態で、タッチパネル制御用マイコン１０３が暴走した場合、ＬＣＤ画面１０１の表示状態は変わらない一方で、タッチパネル制御用マイコン１０３はタッチ入力の位置を検出できない状態となる。このためユーザーは、ジョブの削除、優先出力、または蓄積解除などの緊急操作が必要な場合に、ソフトウェアキーを用いてそれらの操作を行うことができない。タッチパネル制御用マイコン１０３が暴走した場合、タッチパネル制御用マイコン１０３のリセット処理および初期化処理が完了するまでの相当な時間の間、ユーザーはソフトウェアキーを用いることはできない。
【００７９】
このため、緊急操作が必要な時にタッチパネルＴＰが応答しない状態となり、ユーザーによる操作が不能となる。その結果、ユーザーが削除したかった無駄なジョブの印刷出力が継続されたり、優先出力したかったジョブが、そのジョブよりも前に登録されたジョブの印刷出力が終了するまで実行されず、ユーザーが長時間待たされたりする事態が起こり得る。
【００８０】
このような事態を防止するため、本実施の形態では、タッチパネル制御用マイコン１０３の暴走を検出した場合に、操作パネル制御部１５６は、暴走を検出した時にＬＣＤ画面１０１（タッチパネルＴＰ）のソフトウェアキーにて受け付けていた操作（次操作の実行操作キー）をハードウェアキー１０４に割り付ける。
【００８１】
図６は、デジタルカラー複合機に登録済みのジョブリストがＬＣＤ画面１０１に表示された状態で、タッチパネル制御用マイコン１０３が暴走した場合の操作パネル１００の画面表示を模式的に示す図である。
【００８２】
図６を参照して、タッチパネルＴＰが次操作に関するタッチ入力を受け付けている状態（タッチパネルＴＰによる次操作待ち状態）で、タッチパネル制御用マイコン１０３の暴走を検出した場合、操作パネル制御部１５６は、次操作を行うキーをＬＣＤ画面１０１近傍のハードウェアキー１０４に割り当てるとともに、ハードウェアキー１０４で次操作を行うことができることを示すガイダンス表示（ハードウェアキー１０４に割り付けられている操作を通知する表示）をＬＣＤ画面１０１に行う。
【００８３】
具体的には、ＬＣＤ画面１０１近傍下側のキー１８１〜１８３の各々に、「削除」、「優先出力」、および「蓄積解除」の各操作を行うキー３０１〜３０３の各々の機能が割り当てられる。キー１８１には「削除」キー３０１の機能が割り当てられ、キー１８２には「優先出力」キー３０２の機能が割り当てられ、キー１８３には「蓄積解除」キー３０３の機能が割り当てられる。
【００８４】
ＬＣＤ画面１０１には、キー３０１〜３０３の各々の機能がキー１８１〜１８３の各々に割り当てられていることを示す表示３１１〜３１３が行われる。表示３１１は、キー１８１には「削除」キー３０１の機能が割り当てられていることを通知しており、表示３１２は、キー１８２には「優先出力」キー３０２の機能が割り当てられていることを通知しており、表示３１３は、キー１８３には「蓄積解除」キー３０３の機能が割り当てられていることを通知している。表示３１１〜３１３自体は、ユーザーからの押下を受け付けるものではない。
【００８５】
タッチパネル制御用マイコン１０３の暴走前にジョブリストの表示画面（図５）で表示していた、選択したジョブの「削除」、「優先出力」、および「蓄積解除」の各操作を行うキー３０１〜３０３は、ＬＣＤ画面１０１から削除される。さらに、ソフトウェアキーからハードウェアキー１０４への変更をユーザーに知らせるため、たとえば「実行キー変更中」などのメッセージＭ１がＬＣＤ画面１０１に表示される。
【００８６】
タッチパネル制御用マイコン１０３のリセット処理および初期化処理が完了し、タッチパネルＴＰによる操作が可能な状態になった後で、操作パネル制御部１５６は、ハードウェアキー１０４に操作を割り付けることを中止し、ＬＣＤ画面１０１の表示をジョブリストの表示画面（図５、通常表示画面）に戻す処理を行う。
【００８７】
また、操作パネル制御部１５６がタッチパネル制御用マイコン１０３の暴走を検出し、ハードウェアキー１０４に操作を割り付けた場合（図５から図６の画面に切り替えた場合）に、操作パネル制御部１５６は、警告ＬＥＤまたはブザー１０５によりＬＥＤの警告表示または警告音を発生させてもよい。さらに、ハードウェアキー１０４への操作の割り付けを中止した場合（図６から図５の画面に切り替えた場合）に、操作パネル制御部１５６は、警告ＬＥＤまたはブザー１０５によりＬＥＤの警告表示または警告音を発生させてもよい。
【００８８】
上述の場合の他、親展ファックスを受信中の状態や、親展ファックスに関する受信ジョブの一覧である受信リストがＬＣＤ画面１０１に表示されている状態で、タッチパネル制御用マイコン１０３が暴走した場合などに、操作パネル制御部１５６は、たとえば親展ジョブ印刷指示キーやジョブ破棄用キーなどをハードウェアキー１０４に割り付けてもよい。これについて以下に説明する。
【００８９】
図７は、親展ファックスの受信リストがＬＣＤ画面１０１に表示された状態を示す図である。図７の画面は、たとえば待機時のＬＣＤ画面１０１に表示される所定のソフトウェアキーが押下された場合に表示される。
【００９０】
受信リストには、受信ジョブの情報を示す「番号」、「登録元」、「状態」、および「文書名」の各欄が設けられている。これら以外の受信ジョブの情報が示されていてもよい。「番号」の欄には、デジタルカラー複合機が受信を開始した順に付された番号が表示されている。「登録元」の欄には、その受信ジョブの送信元のユーザーの識別情報（たとえばＩＤ）が表示されている。「状態」の欄には、その受信ジョブの実行状態（印刷中か待機中か）が表示されている。「文書名」の欄は、受信した文書またはデータの名称が表示されている。
【００９１】
受信リストに登録された４つの受信ジョブのうち、１２３番のジョブは、現在実行中（印刷中）であり、実行が終了すると、受信リストから消去される。他の３つのジョブは待機中であり、その受信データがＨＤＤ１５４に蓄積された状態である。ＬＣＤ画面１０１には、受信リストの他に、「削除」、「優先出力」、および「蓄積解除」の各操作を行うキー（アイコン）３０１〜３０３が表示されている。
【００９２】
たとえば、１２５番のジョブが表示されたキーＩＴ２が押下されると、キーＩＴ２の色が変わり、１２５番のジョブが選択された状態となる。１２５番のジョブが選択された状態で「削除」キー３０１が押下されると、１２５番のジョブが受信リストから消去され、その受信データはＨＤＤ１５４から削除される。また、「優先出力」キー３０２が押下されると、１２５番のジョブが他の実行中のジョブよりも優先して実行（印刷または出力）される。さらに、「蓄積解除」キー３０３が押下されると、１２５番のジョブが実行可能となった場合（他のジョブの実行が終了した後）に、１２５番のジョブが実行される。キーＩＴ２および３０１〜３０３は、いずれもソフトウェアキーである。
【００９３】
親展ファックスの受信ジョブを実行している場合、親展ファックスの受信ジョブで受信済みのデータが存在する場合、および親展ファックスの予約受信ジョブが存在する場合のうち少なくともいずれか１つの場合において、タッチパネル制御用マイコン１０３の暴走を検出したときは、操作パネル制御部１５６は、ＬＣＤ画面１０１（タッチパネルＴＰ）のソフトウェアキーにて受け付けていた、受信ジョブに関する受信データを出力する指示を行うキー３０２および３０３、ならびに受信ジョブを破棄する指示を行うキー３０１の機能を、ハードウェアキー１０４に割り付ける。
【００９４】
図８は、親展ファックスの受信リストがＬＣＤ画面１０１に表示された状態で、タッチパネル制御用マイコン１０３が暴走した場合の操作パネル１００の画面表示を模式的に示す図である。
【００９５】
図８を参照して、具体的には、ＬＣＤ画面１０１近傍下側のキー１８１〜１８３の各々に、キー３０１〜３０３の各々の機能が割り当てられる。キー１８１には「削除」キー３０１の機能が割り当てられ、キー１８２には「優先出力」キー３０２の機能が割り当てられ、キー１８３には「蓄積解除」キー３０３の機能が割り当てられる。
【００９６】
ＬＣＤ画面１０１には、キー１８１〜１８３の各々にキー３０１〜３０３の各々の機能が割り当てられていることを示す表示３１１〜３１３が行われる。表示３１１は、キー１８１には「削除」キー３０１の機能が割り当てられていること通知しており、表示３１２は、キー１８２には「優先出力」キー３０２の機能が割り当てられていることを通知しており、表示３１３は、キー１８３には「蓄積解除」キー３０３の機能が割り当てられていることを通知している。表示３１１〜３１３自体は、ユーザーからの押下を受け付けるものではない。
【００９７】
受信リストの表示画面（図７）で表示していた、選択したファクシミリの「削除」、「優先出力」、および「蓄積解除」の各操作を行うキー３０１〜３０３は、ＬＣＤ画面１０１から削除される。さらに、ソフトウェアキーからハードウェアキー１０４への変更をユーザーに知らせるため、たとえば「実行キー変更中」などのメッセージＭ２がＬＣＤ画面１０１に表示される。
【００９８】
タッチパネル制御用マイコン１０３のリセット処理および初期化処理が完了し、タッチパネルＴＰによる操作が可能な状態になった後で、操作パネル制御部１５６は、ハードウェアキー１０４に操作を割り付けることを中止し、ＬＣＤ画面１０１の表示を受信リストの表示画面（図７、通常表示画面）に戻す処理を行う。
【００９９】
また、操作パネル制御部１５６がタッチパネル制御用マイコン１０３の暴走を検出し、ハードウェアキー１０４に操作を割り付けた場合（図７から図８の画面に切り替えた場合）に、操作パネル制御部１５６は、警告ＬＥＤまたはブザー１０５によりＬＥＤの警告表示または警告音を発生させてもよい。さらに、ハードウェアキー１０４への操作の割り付けを中止した場合（図８から図７の画面に切り替えた場合）に、操作パネル制御部１５６は、警告ＬＥＤまたはブザー１０５によりＬＥＤの警告表示または警告音を発生させてもよい。
【０１００】
図９は、本発明の第１の実施の形態における操作パネル制御部１５６が行う制御についてのフローチャートである。
【０１０１】
図９を参照して、操作パネル制御部１５６は、ＬＣＤ画面１０１の表示制御を開始し（Ｓ１）、ＬＣＤ画面１０１の表示が、予め定められた緊急操作画面（たとえば図５または図７の画面）に遷移したか否かを判別する（Ｓ３）。ステップＳ３において、緊急操作画面に遷移しないと判別した場合（Ｓ３でＮＯ）、操作パネル制御部１５６はステップＳ３の処理を繰り返す。
【０１０２】
ステップＳ３において、緊急操作画面に遷移したと判別した場合（Ｓ３でＹＥＳ）、操作パネル制御部１５６は、タッチパネルＩＦ１０６からの信号に基づいて、タッチパネル制御用マイコン１０３の暴走を監視する処理を行う（Ｓ５）。続いて操作パネル制御部１５６は、ＬＣＤ画面１０１が緊急操作画面を表示している間にタッチパネル制御用マイコン１０３が暴走したか否かを判別する（Ｓ７）。ステップＳ７において、タッチパネル制御用マイコン１０３が暴走しないと判別した場合（Ｓ７でＮＯ）、操作パネル制御部１５６はステップＳ７の処理を繰り返す。
【０１０３】
ステップＳ７において、タッチパネル制御用マイコン１０３が暴走したと判別した場合（Ｓ７でＹＥＳ）、操作パネル制御部１５６は、ＬＣＤ画面１０１のソフトウェアキーにて受け付けていた操作（「削除」、「優先出力」、および「蓄積解除」のキー３０１〜３０３の機能）を、ＬＣＤ画面１０１近傍のハードウェアキー１０４（キー１８１〜１８３）に割り付ける（Ｓ９）。次に操作パネル制御部１５６は、割付ガイダンスを実行する（Ｓ１１）。ステップＳ１１において、操作パネル制御部１５６は、キー３０１〜３０３の各々の機能がキー１８１〜１８３の各々に割り当てられていることを示す表示３１１〜３１３を行い、あわせて「実行キー変更中」などのメッセージＭ１またはＭ２をＬＣＤ画面１０１に表示し、警告ＬＥＤまたはブザー１０５によりＬＥＤの警告表示または警告音を発生させる。次に操作パネル制御部１５６は、タッチパネル制御用マイコン１０３のリセット処理および初期化処理を実行する（Ｓ１３）。これらの処理が完了した後、操作パネル制御部１５６は、ハードウェアキー１０４に割り付けていた操作を解除する（Ｓ１５）。次に操作パネル制御部１５６は、解除ガイダンスを実行する（Ｓ１７）。ステップＳ１７において、操作パネル制御部１５６は、元のＬＣＤ画面１０１内のソフトウェアキーで操作を受け付け可能となるように、ハードウェアキー１０４への割り付けを中止し、表示３１１〜３１３をＬＣＤ画面１０１から消去する。また操作パネル制御部１５６は、警告ＬＥＤまたはブザー１０５によりＬＥＤの警告表示または警告音を発生させる。その後操作パネル制御部１５６は、ステップＳ１の処理へ進み、ＬＣＤ画面１０１の表示制御を継続する。
【０１０４】
［第２の実施の形態］
本実施の形態においては、ジョブの実行中の画面をＬＣＤ画面１０１が表示している場合において、タッチパネル制御用マイコン１０３が暴走したときの操作パネル制御部１５６の動作について説明する。本実施の形態のデジタルカラー複合機の構成は、第１の実施の形態の場合と同様であるので、その説明は繰り返さない。
【０１０５】
本実施の形態の操作パネル１００は、各種ジョブを実行する際に押下されるスタートキー（図５のキー１８４）および実行しているジョブを停止する際に押下されるストップキー（図５のキー１８５）に相当するハードウェアキーを含んでいない。スタートキーおよびストップキーは、所定の場合にソフトウェアキーとしてＬＣＤ画面１０１に表示され、ＬＣＤ画面１０１に表示されたスタートキーまたはストップキーがユーザーによって押下された場合に、デジタルカラー複合機は、ジョブを実行または停止する。
【０１０６】
図１０は、コピージョブの実行中の画面がＬＣＤ画面１０１に表示された状態を示す図である。
【０１０７】
図１０を参照して、ＬＣＤ画面１０１に表示されたスタートキー（図示無し）がユーザーによって押下され、デジタルカラー複合機がコピージョブの実行を開始すると、操作パネル制御部１５６は、コピージョブの実行中の画面をＬＣＤ画面１０１に表示する。ＬＣＤ画面１０１には、たとえば「コピーしています」という文字とともに、ストップキーであるキー３０４が表示される。そして、コピージョブが完了すると、操作パネル制御部１５６は、ジョブ待機中（通常状態）の画面をＬＣＤ画面１０１に表示する。ＬＣＤ画面１０１には、「コピーしています」の文字の代わりにたとえば「コピーできます」という文字が表示され、たとえばストップキーであるキー３０４の位置にスタートキー（図示無し）がさらに表示される。
【０１０８】
コピージョブの実行中の画面をＬＣＤ画面１０１が表示している状態で、タッチパネル制御用マイコン１０３が暴走した場合、ユーザーは、ジョブの停止が必要な場合に、ソフトウェアキーを用いてこの操作を行うことができない。その結果、ユーザーが望まない無駄なコピージョブの印刷出力が継続される事態が起こり得る。このような事態を防止するため、本実施の形態では、タッチパネル制御用マイコン１０３の暴走を検出した場合に、操作パネル制御部１５６は、暴走を検出した時にＬＣＤ画面１０１（タッチパネルＴＰ）のソフトウェアキーにて受け付けていたジョブ停止の操作をハードウェアキー１０４に割り付ける。
【０１０９】
図１１は、コピージョブの実行中の画面がＬＣＤ画面１０１に表示された状態で、タッチパネル制御用マイコン１０３が暴走した場合の操作パネル１００の画面表示を模式的に示す図である。
【０１１０】
図１１を参照して、具体的には、ＬＣＤ画面１０１近傍下側のキー１８２に、キー３０４の機能が割り当てられる。ＬＣＤ画面１０１には、キー１８２にキー３０４の機能が割り当てられていることを通知する表示３１４が行われる。表示３１４自体は、ユーザーからの押下を受け付けるものではない。コピージョブの実行中の画面（図１０）で表示していたキー３０４は、ＬＣＤ画面１０１から削除される。さらに、ソフトウェアキーからハードウェアキー１０４への変更をユーザーに知らせるため、たとえば「実行キー変更中」などのメッセージＭ３がＬＣＤ画面１０１に表示される。
【０１１１】
タッチパネル制御用マイコン１０３のリセット処理および初期化処理が完了し、タッチパネルＴＰによる操作が可能な状態になった後で、操作パネル制御部１５６は、ハードウェアキー１０４に操作を割り付けることを中止し、ＬＣＤ画面１０１の表示をコピージョブの実行中の画面（図１０）に戻す処理を行う。
【０１１２】
また、操作パネル制御部１５６がタッチパネル制御用マイコン１０３の暴走を検出し、ハードウェアキー１０４に操作を割り付けた場合（図１０から図１１の画面に切り替えた場合）に、操作パネル制御部１５６は、警告ＬＥＤまたはブザー１０５によりＬＥＤの警告表示または警告音を発生させてもよい。さらに、ハードウェアキー１０４への操作の割り付けを中止した場合（図１１から図１０の画面に切り替えた場合）に、操作パネル制御部１５６は、警告ＬＥＤまたはブザー１０５によりＬＥＤの警告表示または警告音を発生させてもよい。
【０１１３】
また、ジョブ待機中と表示されている通常状態で、タッチパネル制御用マイコン１０３が暴走した場合、ユーザーが緊急で実行したいジョブの実行を受け付けるために、スタートキーについても同様に、ハードウェアキーへの割り付けが行われてもよい。
【０１１４】
図１２は、本発明の第２の実施の形態における操作パネル制御部１５６が行う制御についてのフローチャートである。
【０１１５】
図１２を参照して、操作パネル制御部１５６（タッチパネルＴＰ）に電源が投入されると（Ｓ１０１）、操作パネル制御部１５６は、タッチパネル制御用マイコン１０３およびタッチパネルセンサー部１０２（タッチパネルＴＰに内蔵されるセンサーＩＣ）をリセット解除し（Ｓ１０３）、タッチパネル制御用マイコン１０３およびタッチパネルセンサー部１０２が起動完了したか否かを、たとえばＩ２Ｃバスなどのシリアルインターフェースを介して判別する（Ｓ１０５）。ステップＳ１０５において、起動完了しないと判別した場合（Ｓ１０５でＮＯ）、操作パネル制御部１５６はステップＳ１０５の処理を繰り返す。
【０１１６】
ステップＳ１０５において、起動完了したと判別した場合（Ｓ１０５でＹＥＳ）、操作パネル制御部１５６は、タッチパネル制御用マイコン１０３に対して、タッチパネルＴＰの感度調整のための初期調整コマンドを発行し、タッチパネル制御用マイコン１０３の初期調整（初期化処理）を開始する（Ｓ１０７）。次に操作パネル制御部１５６は、初期調整が完了したか否かを判別する（Ｓ１０９）。ステップＳ１０９において、初期調整が完了しないと判別した場合（Ｓ１０９でＮＯ）、操作パネル制御部１５６はステップＳ１０９の処理を繰り返す。
【０１１７】
ステップＳ１０９において、初期調整が完了したと判別した場合（Ｓ１０９でＹＥＳ）、操作パネル制御部１５６は、タッチパネルＴＰのタッチ操作の検出動作を開始し（Ｓ１１１）、ＬＣＤ画面１０１の表示制御を開始する（Ｓ１１２）。続いて操作パネル制御部１５６は、タッチパネルＩＦ１０６からの信号に基づいて、タッチパネル制御用マイコン１０３の暴走を監視する処理を行う（Ｓ１１３）。続いて操作パネル制御部１５６は、タッチパネル制御用マイコン１０３が暴走したか否かを判別する（Ｓ１１５）。ステップＳ１１５において、タッチパネル制御用マイコン１０３が暴走しないと判別した場合（Ｓ１１５でＮＯ）、操作パネル制御部１５６はステップＳ１１５の処理を繰り返す。
【０１１８】
ステップＳ１１５において、タッチパネル制御用マイコン１０３が暴走したと判別した場合（Ｓ１１５でＹＥＳ）、操作パネル制御部１５６は、ＬＣＤ画面１０１のソフトウェアキーにて受け付けていた操作（キー３０４の機能）を、ＬＣＤ画面１０１近傍のハードウェアキー１０４（キー１８２）に割り付ける（Ｓ１１７）。次に操作パネル制御部１５６は、割付ガイダンスを実行する（Ｓ１１９）。ステップＳ１１９において、操作パネル制御部１５６は、キー３０４〜３０３の機能がキー１８２に割り当てられていることを示す表示３１４を行い、あわせて「実行キー変更中」などのメッセージＭ３をＬＣＤ画面１０１に表示し、警告ＬＥＤまたはブザー１０５によりＬＥＤの警告表示または警告音を発生させる。次に操作パネル制御部１５６は、タッチパネル制御用マイコン１０３のリセット処理および初期化処理を実行する（Ｓ１２１）。これらの処理が完了した後、操作パネル制御部１５６は、ハードウェアキー１０４に割り付けていた操作を解除する（Ｓ１２３）。次に操作パネル制御部１５６は、解除ガイダンスを実行する（Ｓ１２５）。ステップＳ１２５において、操作パネル制御部１５６は、元のＬＣＤ画面１０１内のソフトウェアキーで操作を受け付け可能となるように、ハードウェアキー１０４への割り付けを中止し、表示３１４をＬＣＤ画面１０１から消去する。また操作パネル制御部１５６は、警告ＬＥＤまたはブザー１０５によりＬＥＤの警告表示または警告音を発生させる。その後操作パネル制御部１５６は、ステップＳ１１２の処理へ進み、ＬＣＤ画面１０１の表示制御を継続する。
【０１１９】
［実施の形態の効果］
上述の実施の形態によれば、静電気放電（静電気ノイズ）に起因してタッチパネル制御用マイコン（タッチパネル用ＣＰＵ）の暴走が発生した場合に、タッチパネルにて受け付けていた操作をハードウェアキーに割り付けるので、デジタルカラー複合機への操作入力を継続することができ、タッチパネル操作できない事態を回避することができる。特に、デジタルカラー複合機の緊急操作が必要な場合にも、操作を継続することができない事態を回避することができる。
【０１２０】
また、タッチパネル制御用マイコンの暴走が発生した場合に、ジョブリストを表示中であるときは、ジョブの「削除」、「優先出力」、および「蓄積解除」の各操作を行うキーをＬＣＤ画面近傍のハードウェアキーに割り付けるので、ユーザーはこれらの操作を行うことができる。
【０１２１】
また、タッチパネル制御用マイコンの暴走が発生した場合に、親展ファックス受信中であったり、親展ファックスの受信済みのデータが存在していたり、親展ファックスの予約受信ジョブが存在しているときは、親展ジョブ印字指示キーやジョブ破棄用キーなどをＬＣＤ画面近傍のハードウェアキーに割り付けるので、ユーザーは親展ファックスに関するジョブの操作を継続することができる。
【０１２２】
また、タッチパネル制御用マイコンの暴走が発生した場合に、デジタルカラー複合機がジョブを実行中であるときは、ジョブを停止するキーをＬＣＤ画面近傍のハードウェアキーに割り付けるので、ユーザーはジョブを停止するための操作を行うことができる。
【０１２３】
また、ハードウェアキーに操作を割り付けられ場合に警告音を発生することにより、ユーザーにタッチパネルの暴走を通知することができる。
【０１２４】
さらに、ハードウェアキーに操作を割り付けることを中止した場合に警告音を発生することにより、ユーザーにタッチパネルが暴走から復帰したことを通知することができる。
【０１２５】
［その他］
第２の実施の形態においては、コピージョブの実行中にタッチパネル制御用マイコンが暴走した場合について示したが、コピージョブ以外のジョブの実行中にタッチパネル制御用マイコンが暴走した場合にも、操作パネル制御部は同様の制御を行ってもよい。
【０１２６】
上述の実施の形態は適宜組み合わせることができる。たとえば、第１の実施の形態と第２の実施の形態とを組み合わせることにより、デジタルカラー複合機に登録済みのジョブリストがＬＣＤ画面に表示された状態、親展ファックスの受信リストがＬＣＤ画面に表示された状態、またはジョブの実行中の画面がＬＣＤ画面に表示された状態で、タッチパネル制御用マイコンが暴走した場合に、ハードウェアキーへの割り付けを行ってもよい。
【０１２７】
上述の実施の形態においては、図５または図７に示すような緊急操作画面、または図１０に示すようなジョブの実行中の画面をＬＣＤ画面が表示している場合において、タッチパネル制御用マイコンが暴走したときに、ＬＣＤ画面のソフトウェアキーにて受け付けていた操作をハードウェアキーに割り付ける場合について示した。しかし本発明は、暴走を検出した場合に、暴走を検出した時にタッチパネルにて受け付けていた操作をハードウェアキーに割り付けるものであればよく、暴走を検出した時の表示部の表示状態に制限はない。
【０１２８】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピュータにより実行される。また、プログラムはインターネットなどの通信回線を介して、装置にダウンロードするようにしてもよい。
【０１２９】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３０】
１  本体
２  原稿
３  自動原稿搬送装置
４  画像読取装置
５  プラテンガラス
６  光源
７  フルレートミラー
８，９  ハーフレートミラー
１０  結像レンズ
１１  画像読取素子
１２  画像処理部
１３Ｙ，１３Ｍ，１３Ｃ，１３Ｋ  画像形成ユニット
１４  プリントヘッド部
１５  感光体ドラム
１６  帯電ロール
１７  現像器
１８  クリーニング装置
１９  回転多面鏡
２０  反射ミラー
２１  ウインドウ
２４  テンションロール
２５  中間転写ベルト
２６Ｙ，２６Ｍ，２６Ｃ，２６Ｋ  一次転写ロール
２７  ドライブロール
２８  バックアップロール
２９  二次転写ロール
３０  転写用紙
３１  定着器
３２  排出ロール
３３  排出トレイ
３４  給紙カセット
３５  給紙ロール
３６，３９  ロール対
３７，４１  用紙搬送路
３８  レジストロール
４０  両面用搬送ユニット
４４Ｙ，４４Ｍ，４４Ｃ，４４Ｋ  トナーカートリッジ
５０  搬送部
１００  操作パネル
１０１  ＬＣＤ画面
１０２  タッチパネルセンサー部
１０３  タッチパネル制御用マイコン
１０４  ハードウェアキー
１０５  警告ＬＥＤまたはブザー
１０６  タッチパネルＩＦ
１５１  ＣＰＵ
１５２  ＲＯＭ
１５３  ＲＡＭ
１５４  ＨＤＤ
１５５  通信制御部
１５６  操作パネル制御部
１５７  入力装置制御部
１５８  認証装置制御部
１５９  画像出力装置制御部
１６０  認証制御部
１８１〜１８６，３０１〜３０４，ＩＴ１，ＩＴ２  キー
２００  入力装置
２１０  認証装置
２２０  画像出力装置
３００  ネットワーク
３１１〜３１４  表示
ＬＢ−Ｙ，ＬＢ−Ｍ，ＬＢ−Ｃ，ＬＢ−Ｋ  レーザービーム
Ｍ１〜Ｍ３  メッセージ
ＰＣ１〜ＰＣ３  外部端末
ＴＰ  タッチパネル
【図１】
2013059986.tif 000003
【図２】
2013059986.tif 000004
【図３】
2013059986.tif 000005
【図４】
2013059986.tif 000006
【図５】
2013059986.tif 000007
【図６】
2013059986.tif 000008
【図７】
2013059986.tif 000009
【図８】
2013059986.tif 000010
【図９】
2013059986.tif 000011
【図１０】
2013059986.tif 000012
【図１１】
2013059986.tif 000013
【図１２】
2013059986.tif 000014